(57)【要約】【課題】映像のバックアップが準備された状態において、短時間で映像を切り替えることが可能な映像表示装置を提供する。【解決手段】制御部１７０は、第１の映像信号と第２の映像信号とが同じ信号であるか否かを判定（Ｓ２０３）し、第１の映像信号と第２の映像信号とが同じ信号であると判定した場合（Ｓ２０３がＹＥＳ）に、第１の映像信号および第２の映像信号のうち、映像生成部１９３が映像を生成するために用いられるいずれか一方の映像信号に係る設定値を、他方の映像信号に係る設定値として設定（Ｓ２０４）する。【選択図】  図７
2015075716.tif 000002
【特許請求の範囲】
【請求項１】
映像信号に基づいて映像を生成する映像生成部と、第１の信号源からの映像信号を入力可能に設けられた第１の映像信号入力部と、前記第１の信号源とは異なる第２の信号源からの映像信号を入力可能に設けられた第２の映像信号入力部と、前記第１の映像信号入力部または前記第２の映像信号入力部からの映像信号に基づいて前記映像生成部を制御する制御部と、を備える映像表示装置において、
前記制御部は、
前記第１の映像信号入力部から入力された第１の映像信号と前記第２の映像信号入力部から入力された第２の映像信号とが同じ信号であるか否かを判定し、
前記第１の映像信号と前記第２の映像信号とが同じ信号であると判定した場合に、前記第１の映像信号および前記第２の映像信号のうち、前記映像生成部が映像を生成するために用いられるいずれか一方の映像信号に係る設定値を、他方の映像信号に係る設定値として設定することを特徴とする映像表示装置。
【請求項２】
請求項１記載の映像表示装置において、
前記制御部は、前記一方の映像信号に異常が生じたときに、前記他方の映像信号に切り替えることを特徴とする映像表示装置。
【請求項３】
請求項２記載の映像表示装置において、
前記制御部は、前記一方の映像信号のドット数、ライン数、周波数のうち、少なくとも１つの値に変動が生じたときに、前記他方の映像信号に切り替えることを特徴とする映像表示装置。
【請求項４】
請求項１記載の映像表示装置において、
前記設定値は、前記一方の映像信号を検出した結果から得られるフォーマットに係る値であることを特徴とする映像表示装置。
【請求項５】
請求項１記載の映像表示装置において、
前記設定値は、使用者が前記一方の映像信号に対して調整した値であることを特徴とする映像表示装置。
【請求項６】
請求項１記載の映像表示装置において、
光源部と、前記光源部から出力された光を前記映像生成部に照明する照明部と、前記映像生成部にて生成された映像を投写する投写部と、をさらに備えることを特徴とする映像表示装置。
【請求項７】
第１の映像信号を出力する第１の信号源と、
第２の映像信号を出力する第２の信号源と、
映像信号に基づいて映像を生成する映像生成部と、前記第１の映像信号を入力可能に設けられた第１の映像信号入力部と、前記第２の映像信号を入力可能に設けられた第２の映像信号入力部と、前記第１の映像信号または前記第２の映像信号に基づいて前記映像生成部を制御する制御部と、を備える映像表示システムにおいて、
前記制御部は、
前記第１の映像信号と前記第２の映像信号とが同じ信号であるか否かを判定し、
前記第１の映像信号と前記第２の映像信号とが同じ信号であると判定した場合に、前記第１の映像信号および前記第２の映像信号のうち、前記映像生成部が映像を生成するために用いられるいずれか一方の映像信号に係る設定値を、他方の映像信号に係る設定値として設定することを特徴とする映像表示システム。
【発明の詳細な説明】
【技術分野】
【０００１】
本開示は、光源からの光を変調してスクリーンなどの被投写物に投写する映像表示装置に関する。
【背景技術】
【０００２】
特許文献１には、キーを増加することなく、オートサーチを行うことができると共に、複数の映像入力端子からの映像の中から、所望の映像を選択して表示させることが可能な投写型映像表示装置が開示されている。
【０００３】
この投写型映像表示装置は、インプットキーが設けられており、短押しされると、オートサーチとなり、信号入力のある映像入力端子に自動的に切り替えられる。また、インプットキーが長押しされると、映像入力端子の信号名が所定時間毎に順に表示され、インプットキーが離された時点の映像入力端子からの映像入力に切り替えられる。これにより、１つのインプットキーでオートサーチモードへの設定と、入力映像信号の切り替えを行うことができ、キーの増加を防げると共に、どの映像入力端子からの入力も設定することができる。
【先行技術文献】
【特許文献】
【０００４】
【特許文献１】特開２００７−３２７９８７号公報
【発明の概要】
【発明が解決しようとする課題】
【０００５】
しかしながら、上記文献に開示された投写型映像表示装置は、２つの映像入力端子から同じ映像信号を入力し、何らかの事態に備えて自動的に切り替えられるように設定していたとしても、映像信号を切り替える際に行われる映像信号の判別などに時間がかかり、間が空いてしまうという課題があった。
【０００６】
本開示は、上述した課題を解決するためのものであり、２つの入力端子に同じ映像信号が入力された状態、すなわち、映像のバックアップが準備された状態において、短時間で映像を切り替えることが可能な映像表示装置および映像表示システムを提供する。
【課題を解決するための手段】
【０００７】
本開示に係る映像表示装置（例えば、投写型映像表示装置１００）は、映像信号に基づいて映像を生成する映像生成部（例えば、映像生成部１９３）と、第１の信号源からの映像信号を入力可能に設けられた第１の映像信号入力部（例えば、第１の映像信号入力部１２０）と、前記第１の信号源とは異なる第２の信号源からの映像信号を入力可能に設けられた第２の映像信号入力部（例えば、第２の映像信号入力部１３０）と、前記第１の映像信号入力部または前記第２の映像信号入力部からの映像信号に基づいて前記映像生成部を制御する制御部（例えば、制御部１７０）と、を備える。
【０００８】
この映像表示装置において、前記制御部は、前記第１の映像信号入力部から入力された第１の映像信号と前記第２の映像信号入力部から入力された第２の映像信号とが同じ信号であるか否かを判定（例えば、Ｓ２０３）する。前記第１の映像信号と前記第２の映像信号とが同じ信号であると判定した場合（例えば、Ｓ２０３がＹＥＳ）に、前記第１の映像信号および前記第２の映像信号のうち、前記映像生成部が映像を生成するために用いられるいずれか一方の映像信号に係る設定値を、他方の映像信号に係る設定値として設定（例えば、Ｓ２０４）することを要旨とする。
【０００９】
これにより、映像のバックアップが準備された状態において、一方の映像信号から他方の映像信号へ短時間で映像を切り替えることが可能となる。
【００１０】
上記の映像表示装置において、前記制御部は、前記一方の映像信号に異常が生じたとき（例えば、Ｓ２０７がＹＥＳ）に、前記他方の映像信号に切り替える（例えば、Ｓ２０８）。具体的には、前記制御部は、前記一方の映像信号のドット数、ライン数、周波数のうち、少なくとも１つの値に変動が生じたときに、前記他方の映像信号に切り替えればよい。これにより、一方の映像信号に異常が生じた場合に、短時間で他方の映像信号へ映像を切り替えることが可能となり、信頼性が向上する。
【００１１】
上記の映像表示装置において、前記設定値は、前記一方の映像信号を検出した結果から得られるフォーマットに係る値であるとよい。これにより、一方の映像から他方の映像に切り替えるときに、ドット数、ライン数、周波数などを検出して、映像信号フォーマットを判別する時間を短縮することができる。あるいは、上記の映像表示装置において、前記設定値は、使用者が前記一方の映像信号に対して調整した値であるとよい。これにより、一方の映像から他方の映像に切り替えるときに、明るさ、色の濃さ、コントラスト、γカーブ、色空間、映像の位置、歪補正などの値を再調整する時間を短縮することができるほか、映像信号が切り替わったときに、同じ状態を再現することができる。
【００１２】
上記の映像表示装置は、光源部（例えば、光源部１９１）と、前記光源部から出力された光を前記映像生成部に照明する照明部（例えば、照明部１９２）と、前記映像生成部にて生成された映像を投写する投写部（例えば、投写部１９４）と、をさらに備える投写型の映像表示装置であってもよい。
【００１３】
本開示に係る映像表示システム（例えば、映像表示システム１０００）は、第１の映像信号を出力する第１の信号源（例えば、第１の信号源２００）と、第２の映像信号を出力する第２の信号源（例えば、第２の信号源３００）と、映像信号に基づいて映像を生成する映像生成部（例えば、映像生成部１９３）と、前記第１の映像信号を入力可能に設けられた第１の映像信号入力部（例えば、第１の映像信号入力部１２０）と、前記第２の映像信号を入力可能に設けられた第２の映像信号入力部（例えば、第２の映像信号入力部１３０）と、前記第１の映像信号または前記第２の映像信号に基づいて前記映像生成部を制御する制御部（例えば、制御部１７０）と、を備える。
【００１４】
この映像表示システムにおいて、前記制御部は、前記第１の映像信号と前記第２の映像信号とが同じ信号であるか否かを判定（例えば、Ｓ２０３）する。前記第１の映像信号と前記第２の映像信号とが同じ信号であると判定した場合（例えば、Ｓ２０３がＹＥＳ）に、前記第１の映像信号および前記第２の映像信号のうち、前記映像生成部が映像を生成するために用いられるいずれか一方の映像信号に係る設定値を、他方の映像信号に係る設定値として設定（例えば、Ｓ２０４）することを要旨とする。
【００１５】
これにより、映像のバックアップが準備された状態において、一方の映像信号から他方の映像信号へ短時間で映像を切り替えることが可能となる。
【発明の効果】
【００１６】
本開示によれば、映像のバックアップが準備された状態において、一方の映像信号から他方の映像信号へ短時間で映像を切り替えることが可能な映像表示装置および映像表示システムを提供することができる。
【図面の簡単な説明】
【００１７】
【図１】実施の形態に係る投写型映像表示装置と周辺機器の接続図。
【図２】実施の形態に係る投写型映像表示装置の構成を示すブロック図。
【図３】実施の形態に係る映像信号処理部の構成を示すブロック図。
【図４】実施の形態のバックアップモードの設定に関するフローチャート。
【図５】実施の形態の切替方法の設定に関するフローチャート。
【図６】実施の形態に係るバックアップモードの設定メニューの模式図。
【図７】実施の形態に係る自動切替のバックアップモードに関するフローチャート。
【図８】実施の形態に係る手動切替のバックアップモードに関するフローチャート。
【図９】実施の形態に係る自動／手動の両方の切替が可能なバックアップモードに関するフローチャート。
【図１０】実施の形態に係るバックアップモードの状態確認メニューの模式図。
【発明を実施するための形態】
【００１８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１９】
なお、発明者（ら）は、当業者が本開示を十分に理解するために添付図面および以下の説明を提供するのであって、これらによって特許請求の範囲に記載の主題を限定することを意図するものではない。
【００２０】
（実施の形態）
以下、図１〜１０を用いて、実施の形態を説明する。実施の形態は映像表示装置として、投写型映像表示装置について説明する。
【００２１】
［１−１．構成］
［１−１−１．投写型映像表示装置と周辺機器の接続構成］
図１は、実施の形態に係る投写型映像表示装置を信号源やコンピュータに接続した際の状態を示す模式図である。投写型映像表示装置１００には、第１の映像信号入力部１２０、第２の映像信号入力部１３０、制御信号入力部１４０が設けられている。
【００２２】
第１の映像信号入力部１２０には、映像信号用ケーブルを介して、第１の信号源２００が接続され、第２の映像信号入力部１３０には、映像信号用ケーブルを介して、第２の信号源３００が接続されている。制御信号入力部１４０には、制御用ケーブルを介して、コンピュータ４００が接続可能である。映像表示装置としての投写型映像表示装置１００と、第１の信号源２００および第２の信号源３００と、制御装置としてのコンピュータ４００とにより、映像表示システム１０００を構成している。
【００２３】
第１の映像信号入力部１２０および第２の映像信号入力部１３０には、ＤＶＩ端子やＨＤＭＩ（登録商標）端子が利用可能である。第１の映像信号入力部１２０および第２の映像信号入力部１３０の両方を１種類の端子で構成してもよく、一方をＤＶＩ端子、他方をＨＤＭＩ（登録商標）端子といったように別の種類の端子で構成してもよい。また、ＶＧＡ端子やＢＮＣ端子で構成しても良い。
【００２４】
映像信号用ケーブルには、ＤＶＩケーブル、ＨＤＭＩ（登録商標）ケーブル、ＶＧＡケーブル、ＢＮＣケーブルが利用可能である。制御用ケーブルには、ＬＡＮケーブル、ＲＳ２３２Ｃケーブルが利用可能である。
【００２５】
［１−１−２．投写型映像表示装置の構成］
図２は、投写型映像表示装置１００の構成を示すブロック図である。投写型映像表示装置１００は、操作部１１０と、第１の映像信号入力部１２０と、第２の映像信号入力部１３０と、制御信号入力部１４０と、報知部１５０と、映像信号処理部１６０と、制御部１７０と、記憶部１８０と、光学部１９０とを備えている。
【００２６】
操作部１１０は、投写型映像表示装置１００の筐体表面に設けられたキースイッチやリモコン（不図示）などから構成される。キースイッチやリモコンによって、使用者が投写型映像表示装置１００を操作することを可能にする。また、リモコンであれば、リモコンの信号が届く範囲で離れた場所から操作することが可能になる。
【００２７】
第１の映像信号入力部１２０は、映像信号ケーブルを介して接続された第１の信号源２００からの映像信号を投写型映像表示装置１００に入力する端子である。以下、第１の映像信号入力部１２０から入力された映像信号を、第１の映像信号と定義する。
【００２８】
第２の映像信号入力部１３０は、映像信号ケーブルを介して接続された第２の信号源３００からの映像信号を投写型映像表示装置１００に入力する端子である。以下、第２の映像信号入力部１３０から入力された映像信号を、第２の映像信号と定義する。第１および第２の映像信号は、デジタル信号、アナログ信号のいずれでも良い。
【００２９】
制御信号入力部１４０は、制御用ケーブルを介して接続されたコンピュータ４００上にて実行された命令に基づいた制御信号を投写型映像表示装置１００に入力する端子である。
【００３０】
報知部１５０は、投写型映像表示装置１００の筐体表面に設けられた報知用ＬＥＤなどから構成される。使用者は、ＬＥＤの色、点滅状態などから投写型映像表示装置１００の状態を知ることができる。
【００３１】
映像信号処理部１６０は、第１の映像信号および／または第２の映像信号を処理して、後述する映像生成部１９３へ出力する。図３は、映像信号処理部１６０の構成を示すブロック図である。映像信号処理部１６０は、第１の映像信号受信部１６１、第２の映像信号受信部１６２、第１の映像調整部１６３、第２の映像調整部１６４、信号切替部１６５から構成される。
【００３２】
第１の映像信号受信部１６１は、第１の映像信号を受信する。第１の映像信号受信部１６１は、受信した第１の映像信号のドット数、ライン数、周波数を検出し、映像信号の解像度、リフレッシュレートあるいは色空間などの映像信号フォーマットを判別する。そして、後段の第１の映像調整部１６３に検出結果を出力すると共に、映像信号を出力する。第１の映像調整部１６３は、第１の映像信号受信部１６１の検出結果に基づいて映像の調整を行なう。
【００３３】
第２の映像信号受信部１６２は、第２の映像信号を受信する。第２の映像信号受信部１６２は、受信した第２の映像信号のドット数、ライン数、周波数を検出し、映像信号の解像度、リフレッシュレートあるいは色空間などの映像信号フォーマットを判別する。そして、後段の第２の映像調整部１６４に検出結果を出力すると共に、映像信号を出力する。第２の映像調整部１６４は、第２の映像信号受信部１６２の検出結果に基づいて映像の調整を行なう。
【００３４】
信号切替部１６５は、第１の映像調整部１６３および第２の映像調整部１６４から出力された映像信号のうち、一方の映像信号を選択して、後述する映像生成部１９３へ出力する。映像信号の選択は、操作部１１０を介して入力される使用者からの指示と記憶部１８０に記憶された制御プログラムとに基づいて制御部１７０によって実行される。
【００３５】
図２に戻り、制御部１７０は、操作部１１０による使用者の指示、制御信号入力部１４０から入力された制御信号および記憶部１８０に記憶された制御プログラムに基づいて、投写型映像表示装置１００を制御する。
【００３６】
記憶部１８０は、投写型映像表示装置１００全体を制御する制御プログラムや、使用者が設定した設定値などを記憶する。具体的には、記憶部１８０は、後述するバックアップモードに係る設定値を記憶する。記憶部１８０は、制御部１７０によって、読み出しと書き込みが行われる。
【００３７】
光学部１９０は、光源部１９１と、照明部１９２と、映像生成部１９３と、投写部１９４とを備える。光源部１９１には、高圧水銀ランプ、ＬＥＤ、レーザーなどの発光デバイスが利用可能である。照明部１９２は、光源部１９１から出力された光を映像生成部１９３に適した状態に変換する。映像生成部１９３は、ＤＭＤ（Ｄｉｇｉｔａｌ  Ｍｉｃｒｏｍｉｒｒｏｒ  Ｄｅｖｉｃｅ）やＬＣＤ（Ｌｉｑｕｉｄ  Ｃｒｙｓｔａｌ  Ｄｅｖｉｃｅ）などの表示素子を含み、映像信号処理部１６０から出力された信号に基づいて、映像を生成する。投写部１９４は、映像生成部１９３にて生成された映像をスクリーン５００へ投写する。
【００３８】
なお、制御信号入力部１４０は、無線の通信回路で構成することも可能である。このとき、コンピュータ４００にも無線通信が可能な回路を内蔵し、無線通信回路を介して、コンピュータ４００上で動作するアプリケーションソフトを利用して制御を行う。これにより、通信ケーブルを設置する手間が省略でき、利便性が向上する。
【００３９】
［１−２．動作］
以上のように構成された投写型映像表示装置１００について、その動作を以下説明する。投写型映像表示装置１００は、使用者の操作によって、バックアップモードに設定されたときに、バックアップモード設定時の映像信号の切替制御を行う。以下、それぞれの動作について詳細に説明する。
【００４０】
［１−２−１．バックアップモードの設定］
図４は、投写型映像表示装置１００をバックアップモードの設定に関するフローチャートである。バックアップモードは、使用者による操作部１１０からの入力に基づいて設定される。
【００４１】
制御部１７０は、バックアップモードの設定が変更されたか否かを監視する（Ｓ１００）。設定が変更された場合（Ｓ１００がＹＥＳ）、バックアップモード設定がＯＮに設定されたか否かを検出する（Ｓ１０１）。
【００４２】
バックアップモードの設定がＯＮに設定された場合（Ｓ１０１がＹＥＳ）は、バックアップモードを開始する（Ｓ１０２）。バックアップモードの設定がＯＦＦに設定された場合（Ｓ１０１がＮＯ）は、バックアップモードを終了する（Ｓ１０３）。バックアップモードの開始または終了をした後、再び、バックアップモード設定が変更されたか否かを監視する（Ｓ１００）。
【００４３】
一方、バックアップモードの設定が変更されていない場合（Ｓ１００がＮＯ）は、バックアップモードを変更せず、設定を維持する。
【００４４】
図５は、バックアップモードがＯＮに設定された場合（Ｓ１０１がＹＥＳ）にさらに設定する、バックアップモードの切替方法の設定に関するフローチャートである。
【００４５】
制御部１７０は、切替方法の設定が変更されたか否かを監視する（Ｓ１１０）。切替方法の設定が変更された場合（Ｓ１１０がＹＥＳ）は、自動切替に設定されたのか、手動切替に設定されたのか、あるいは、自動と手動の両方の切替に設定されたのかを検出する（Ｓ１１１）。
【００４６】
自動切替に設定された場合（Ｓ１１１が自動）は、バックアップモードを自動切替に設定する（Ｓ１１２）。手動切替に設定された場合（Ｓ１１１が手動）は、バックアップモードを手動切替に設定する（Ｓ１１３）。両方の切替に設定された場合（Ｓ１１１が両方）は、バックアップモードを両方の切替に設定する（Ｓ１１４）。切替方法の設定が終了した後、再び、切替方法の設定が変更されたか否かを監視する（Ｓ１１０）。
【００４７】
一方、切替方法の設定が変更されていない場合（Ｓ１１０がＮＯ）は、切替方法を変更せず、設定を維持する。
【００４８】
以上のフローにより、バックアップモードを自動切替に固定したい場合、手動切替に固定したい場合、あるいは、自動切替と手動切替の両方を利用したい場合、といった使用者のニーズに柔軟に対応させることができる。
【００４９】
図６は、投写型映像表示装置１００の投写画面に表示（ＯＳＤ）されるバックアップモード設定メニューである。使用者は、このＯＳＤにより、バックアップモードの設定と切替方法の設定を行なう。具体的には、使用者は、バックアップモードをＯＮまたはＯＦＦのいずれかを選択し、切替方法を自動、手動および両方のいずれかを選択する。選択した設定を反映させる場合はＯＫを選択し、設定を反映させない場合はＣＡＮＣＥＬを選択する。
【００５０】
ＯＫが選択されると、制御部１７０は、投写型映像表示装置１００に対し、設定に基づいた制御を実行する。一方、ＣＡＮＣＥＬが選択されると、制御部１７０は、それまでの設定を維持し、制御を変更しない。
【００５１】
なお、バックアップモードの設定と切替方法の設定は、制御信号入力部１４０に接続されたコンピュータ４００上のアプリケーションソフトを介して実行することもできる。この場合、図６のＯＳＤの内容は、コンピュータ４００の画面に表示され、管理室など離れた場所からも設定が可能となり、利便性が向上する。
【００５２】
［１−２−２．バックアップモードの自動切替の動作］
図７は、バックアップモードの自動切替の動作に関するフローチャートである。すなわち、バックアップモードがＯＮ（Ｓ１０２）、切替方法が自動切替に設定（Ｓ１１２）されたものとする。加えて、第１の映像信号入力部１２０および第２の映像信号入力部１３０のそれぞれには、第１の信号源２００および第２の信号源３００から同じ映像信号が入力されているものとする。
【００５３】
初期状態として、第１の映像信号入力部１２０が選択され（Ｓ２０１）、第１の映像信号（Ｓ２０２）に基づいて映像を投写しているケースについて説明する。
【００５４】
制御部１７０は、第１の映像信号受信部１６１および第２の映像信号受信部１６２の映像信号の検出結果から、第１の映像信号と第２の映像信号とが同じものであるか否かを判定する（Ｓ２０３）。具体的には、第１の映像信号受信部１６１および第２の映像信号受信部１６２は、第１の映像信号および第２の映像信号のドット数、ライン数、周波数を検出し、これらの値が等しいか否かによって、両映像信号が同じものか否か判定を行う。両映像信号のドット数、ライン数、周波数が等しい場合、両映像信号は、同じものであると判定される（Ｓ２０３がＹＥＳ）。
【００５５】
両映像信号が異なる場合（Ｓ２０３がＮＯ）、制御部１７０は、バックアップモードの状態をＵＮＡＶＡＩＬＡＢＬＥに設定（Ｓ２０５）し、再び、両映像信号が同じものであるか否かを監視する（Ｓ２０３）。
【００５６】
両映像信号が同じ場合（Ｓ２０３がＹＥＳ）、制御部１７０は、第１の映像調整部１６３の設定値を、第２の映像信号調整部１６４の設定値として設定する（Ｓ２０４）。設定値には、第１の映像信号に対して、使用者が映像調整メニューで設定した値を含む。さらに、制御部１７０は、バックアップモードの状態をＡＶＡＩＬＡＢＬＥに設定する（Ｓ２０６）。
【００５７】
制御部１７０は、第１の映像信号に異常があるか否かを監視する（Ｓ２０７）。異常が検出されない場合（Ｓ２０７がＮＯ）、再び、両映像信号が同じものであるか否かの監視（Ｓ２０３）に戻り、異常の監視（Ｓ２０７）までの処理を繰り返す。
【００５８】
第１の映像信号に異常が検出された場合（Ｓ２０７がＹＥＳ）、制御部１７０は、映像信号の入力を、第１の映像信号入力部１２０から第２の映像信号入力部１３０に変更する。具体的には、信号切替部１６５において、映像信号を第１の映像信号から第２の映像信号に切り替える（Ｓ２０８）。
【００５９】
制御部１７０は、第１の映像信号受信部１６１および第２の映像信号受信部１６２の映像信号の検出結果から、第１の映像信号と第２の映像信号とが同じものであるか否かを判定する（Ｓ２０９）。検出方法は、Ｓ２０３での処理と同じである。
【００６０】
両映像信号が異なる場合（Ｓ２０９がＮＯ）、制御部１７０は、バックアップモードの状態をＵＮＡＶＡＩＬＡＢＬＥに設定（Ｓ２１１）し、再び、両映像信号が同じものであるか否かを監視する（Ｓ２０９）。
【００６１】
両映像信号が同じ場合（Ｓ２０９がＹＥＳ）、制御部１７０は、第２の映像調整部１６４の設定値を、第１の映像信号調整部１６３の設定値として設定する（Ｓ２１０）。さらに、制御部１７０は、バックアップモードの状態をＡＶＡＩＬＡＢＬＥに設定する（Ｓ２１２）。
【００６２】
制御部１７０は、第２の映像信号で異常があるか否かを監視する（Ｓ２１３）。異常が検出されない場合（Ｓ２１３がＮＯ）、再び、両映像信号が同じものであるか否かの監視（Ｓ２０９）に戻り、異常の監視（Ｓ２１３）までの処理を繰り返す。
【００６３】
第２の映像信号に異常が検出された場合（Ｓ２１３がＹＥＳ）、制御部１７０は、映像信号の入力を、第２の映像信号入力部１３０から第１の映像信号入力部１２０に変更する。すなわち、信号切替部１６５において、第２の映像信号から第１の映像信号に切り替える（Ｓ２１４）。以降、バックアップモードがＯＮ、切替方法が自動切替に設定されている間は、Ｓ２０３からＳ２１４までの処理を繰り返す。
【００６４】
以上の処理により、自動で映像切り替えが可能なバックアップ機能を有する投写型映像表示装置１００を実現できる。映像信号を切り替えるときに、ドット数、ライン数、周波数の検出、映像信号フォーマットの判別、および、映像信号に係る設定値の再設定に関する処理を省略することができ、処理時間の短縮が可能となる。
【００６５】
詳細には、例えば、第１の映像信号入力部１２０が選択されると、第１の映像信号のドット数、ライン数、周波数などを検出し、解像度、リフレッシュレートあるいは色空間（ＲＧＢ信号／ＹＣｂＣｒ信号）などの映像信号フォーマットを判別する。そして、バックアップモードがＯＮの場合、制御部１７０は、第２の映像信号調整部１６４に対して、第１の映像信号の映像信号フォーマットを設定値として予め反映している。これにより、映像信号を切り替えるときに、ドット数、ライン数、周波数を検出して、映像信号フォーマットを判別する時間を短縮することができる。
【００６６】
また、第１の映像信号入力部１２０が選択され、使用者が、第１の映像信号に対して、映像調整メニューにより、明るさ、色の濃さ、コントラスト、γカーブ、色空間、映像の位置、歪補正などの値を調整した場合、第１の映像信号調整部１６３には、これらの値が設定値として設定されている。バックアップモードがＯＮの場合、制御部１７０は、第２の映像信号調整部１６４に対して、第１の映像信号調整部１６３のこれらの調整した値を設定値として予め反映している。これにより、映像信号を切り替えるときに、これらの値を再調整する時間を短縮することができるほか、映像信号が切り替わったときに、同じ状態を再現することができる。
【００６７】
したがって、第１の映像信号から第２の映像信号に切り替えるとき（あるいは、第２の映像信号から第１の映像信号に切り替えるとき）に、これらの設定値を再設定することを省略できるため、切替処理に要する時間を短縮できる。これにより、映像信号の切り替えにより生じる、映像が途切れてしまう時間を短縮することができ、例えば、映像信号に異常が検出されたときにも、映像信号を高速に切り替えることが可能となる。
【００６８】
［１−２−３．バックアップモードの手動切替の動作］
図８は、バックアップモードの手動切替の動作に関するフローチャートである。すなわち、バックアップモードがＯＮ（Ｓ１０２）、切替方法が手動切替に設定（Ｓ１１３）されたものとする。第１の映像信号入力部１２０および第２の映像信号入力部１３０のそれぞれには、第１の信号源２００および第２の信号源３００から同じ映像信号が入力されているものとする。
【００６９】
初期状態として、第１の映像信号入力部１２０が選択され（Ｓ３０１）、第１の映像信号（Ｓ３０２）に基づいて映像を投写しているケースについて説明する。
【００７０】
制御部１７０は、第１の映像信号受信部１６１および第２の映像信号受信部１６２の映像信号の検出結果から、第１の映像信号と第２の映像信号とが同じものであるか否かを判定する（Ｓ３０３）。検出方法は、Ｓ２０３での処理と同じである。
【００７１】
両映像信号が異なる場合（Ｓ３０３がＮＯ）、制御部１７０は、バックアップモードの状態をＵＮＡＶＡＩＬＡＢＬＥに設定（Ｓ３０５）し、再び、両映像信号が同じものであるか否かを監視する（Ｓ３０３）。
【００７２】
両映像信号が同じ場合（Ｓ３０３がＹＥＳ）、制御部１７０は、第１の映像調整部１６３の設定値を、第２の映像信号調整部１６４の設定値として設定する（Ｓ３０４）。さらに、バックアップモードの状態をＡＶＡＩＬＡＢＬＥに設定する（Ｓ３０６）。
【００７３】
制御部１７０は、使用者による映像信号を第１の映像信号から第２の映像信号へ切り替える切替操作があるか否かを監視する（Ｓ３０７）。切替操作が検出されない場合（Ｓ３０７がＮＯ）、再び、両映像信号が同じものであるか否かの監視（Ｓ３０３）に戻り、切替操作の監視（Ｓ２０７）までの処理を繰り返す。
【００７４】
切替操作が検出された場合（Ｓ３０７がＹＥＳ）、制御部１７０は、映像信号の入力を、第１の映像信号入力部１２０から第２の映像信号入力部１３０に変更する。具体的には、信号切替部１６５において、映像信号を第１の映像信号から第２の映像信号に切り替える（Ｓ３０８）。
【００７５】
制御部１７０は、第１の映像信号受信部１６１および第２の映像信号受信部１６２の映像信号の検出結果から、第１の映像信号と第２の映像信号とが同じものであるか否かを判定する（Ｓ３０９）。検出方法は、Ｓ２０３での処理と同じである。
【００７６】
両映像信号が異なる場合（Ｓ３０９がＮＯ）、制御部１７０は、バックアップモードの状態をＵＮＡＶＡＩＬＡＢＬＥに設定（Ｓ３１１）し、再び、両映像信号が同じものであるか否かを監視する（Ｓ３０９）。
【００７７】
両映像信号が同じ場合（Ｓ３０９がＹＥＳ）、制御部１７０は、第２の映像調整部１６４の設定値を、第１の映像信号調整部１６３の設定値として設定する（Ｓ３１０）。さらに、制御部１７０は、バックアップモードの状態をＡＶＡＩＬＡＢＬＥに設定する（Ｓ３１２）。
【００７８】
制御部１７０は、切替操作があるか否かを監視する（Ｓ３１３）。切替操作が検出されない場合（Ｓ３１３がＮＯ）、再び、両映像信号が同じものであるか否かの監視（Ｓ３０９）に戻り、切替操作の監視（Ｓ３１３）までの処理を繰り返す。
【００７９】
切替操作が検出された場合（Ｓ３１３がＹＥＳ）、制御部１７０は、映像信号の入力を、第２の映像信号入力部１３０から第１の映像信号入力部１２０に変更する。具体的には、信号切替部１６５において、映像信号を第２の映像信号から第１の映像信号に切り替える（Ｓ３１４）。以降、バックアップモードがＯＮ、切替方法が手動切替に設定されている間は、Ｓ３０３からＳ３１４までの処理を繰り返す。
【００８０】
以上の処理により、手動で映像切り替えが可能となり、任意のタイミングで映像切り替えが可能なバックアップ機能を有する投写型映像表示装置１００を実現できる。映像信号を切り替えるときに、ドット数、ライン数、周波数の検出、映像信号フォーマットの判別、および、映像信号に係る設定値の再設定に関する処理を省略することができ、処理時間の短縮が可能となる。
【００８１】
これにより、映像信号の切り替えにより生じる、映像が途切れてしまう時間を短縮することができ、例えば、使用者が手動で映像信号を切り替えるときにも、映像信号を高速に切り替えることが可能となる。
【００８２】
［１−２−３．バックアップモードの自動／手動の両方の切替が可能な設定の動作］
図９は、バックアップモードの自動切替と手動切替の両方が可能な設定の動作に関するフローチャートである。すなわち、バックアップモードがＯＮ（Ｓ１０２）、切替方法が両方に設定（Ｓ１１４）されたものとする。第１の映像信号入力部１２０と第２の映像信号入力部１３０のそれぞれには、第１の信号源２００および第２の信号源３００から同じ映像信号が入力されているものとする。
【００８３】
初期状態として、第１の映像信号入力部１２０が選択され（Ｓ４０１）、第１の映像信号（Ｓ４０２）に基づいて映像を投写しているケースについて説明する。
【００８４】
制御部１７０は、第１の映像信号受信部１６１および第２の映像信号受信部１６２の映像信号の検出結果から、第１の映像信号と第２の映像信号とが同じものであるか否かを判定する（Ｓ４０３）。検出方法は、Ｓ２０３での処理と同じである。
【００８５】
両映像信号が異なる場合（Ｓ４０３がＮＯ）、制御部１７０は、バックアップモードの状態をＵＮＡＶＡＩＬＡＢＬＥに設定（Ｓ４０５）し、再び、両映像信号が同じものであるか否かを監視する（Ｓ４０３）。
【００８６】
両映像信号が同じ場合（Ｓ４０３がＹＥＳ）、制御部１７０は、第１の映像調整部１６３の設定値を、第２の映像信号調整部１６４の設定値として設定する（Ｓ４０４）。さらに、バックアップモードの状態をＡＶＡＩＬＡＢＬＥに設定する（Ｓ４０６）。
【００８７】
制御部１７０は、第１の映像信号に異常があるか否か、および、使用者による映像信号を第１の映像信号から第２の映像信号へ切り替える切替操作があるか否かを監視する（Ｓ４０７）。第１の映像信号に異常が検出されず、かつ、使用者による切替操作が検出されない場合（Ｓ４０７がＮＯ）、再び、両映像信号が同じものであるか否かの監視（Ｓ４０３）に戻り、異常の監視と切替操作の監視（Ｓ４０７）までの処理を繰り返す。
【００８８】
第１の映像信号に異常が検出された場合、または、切替操作が検出された場合（Ｓ４０７がＹＥＳ）、制御部１７０は、映像信号の入力を、第１の映像信号入力部１２０から第２の映像信号入力部１３０に変更する。具体的には、信号切替部１６５において、映像信号を第１の映像信号から第２の映像信号に切り替える（Ｓ４０８）。
【００８９】
制御部１７０は、第１の映像信号受信部１６１および第２の映像信号受信部１６２の映像信号の検出結果から、第１の映像信号と第２の映像信号とが同じものであるか否かを判定する（Ｓ４０９）。検出方法は、Ｓ２０３での処理と同じである。
【００９０】
両映像信号が異なる場合（Ｓ４０９がＮＯ）、制御部１７０は、バックアップモードの状態をＵＮＡＶＡＩＬＡＢＬＥに設定（Ｓ４１１）し、再び、両映像信号が同じものであるか否かを監視する（Ｓ４０９）。
【００９１】
両映像信号が同じ場合（Ｓ４０９がＹＥＳ）、制御部１７０は、第２の映像調整部１６４の設定値を、第１の映像信号調整部１６３の設定値として設定する（Ｓ４１０）。さらに、制御部１７０は、バックアップモードの状態をＡＶＡＩＬＡＢＬＥに設定する（Ｓ４１２）。
【００９２】
制御部１７０は、第２の映像信号に異常があるか否か、および、使用者による映像信号を第２の映像信号から第１の映像信号へ切り替える切替操作があるか否かを監視する（Ｓ４１３）。第２の映像信号に異常が検出されず、かつ、使用者による切替操作が検出されない場合（Ｓ４１３がＮＯ）、再び、両映像信号が同じものであるか否かの監視（Ｓ４０９）に戻り、異常の監視と切替操作の監視（Ｓ４１３）までの処理を繰り返す。
【００９３】
第２の映像信号に異常が検出された場合、または、切替操作が検出された場合（Ｓ４１３がＹＥＳ）、制御部１７０は、映像信号の入力を、第２の映像信号入力部１３０から第１の映像信号入力部１２０に変更する。具体的には、信号切替部１６５において、映像信号を第２の映像信号から第１の映像信号に切り替える（Ｓ４１４）。以降、バックアップモードがＯＮ、切替方法が両方に設定されている間は、Ｓ４０３からＳ４１４までの処理を繰り返す。
【００９４】
以上の処理により、自動切替と手動切替の両方による映像の切り替えを、映像信号の異常や使用者による操作などに応じて適宜対応が可能となり、柔軟性と信頼性の高いバックアップ機能を有する投写型映像表示装置１００を実現できる。映像信号を切り替えるときに、ドット数、ライン数、周波数の検出、映像信号フォーマットの判別、および、映像信号に係る設定値の再設定に関する処理を省略することができ、処理時間の短縮が可能となる。
【００９５】
これにより、映像信号の切り替えにより生じる、映像が途切れてしまう時間を短縮することができ、映像信号を高速に切り替えることが可能となる。
【００９６】
［１−２−４．バックアップモードの状態の確認］
バックアップモードの現在の設定状態は、図１０に示すように、投写型映像表示装置１００の投写画面に表示されるバックアップモード確認メニューで確認することができる。確認メニューは、バックアップモード（ＯＮ／ＯＦＦ）、切替方法（自動／手動／両方）、状態（ＡＶＡＩＬＡＢＬＥ／ＵＮＡＶＡＩＬＡＢＬＥ）、選択中の入力（第１の映像信号入力部／第２の映像信号入力部）、に関する情報を表示可能に設けることが望ましい。これにより、一目でバックアップモードの設定状態を確認することができる。また、入力信号に関する情報も、バックアップモードの設定状態に関する情報と同時に確認できるように設けると、バックアップモードで選択中の入力部へ入力されている映像信号の情報も一度に確認できる為、一層利便性を高められる。
【００９７】
なお、バックアップモードの設定状態は、制御信号入力部１４０に接続されたコンピュータ４００上のアプリケーションソフトを介して確認することもできる。この場合、コンピュータ４００は、バックアップモードの設定状態を制御部１７０との通信で取得する。図１０の内容は、コンピュータ４００（アプリケーションソフト）の画面に表示され、
管理室など離れた場所からも、設定状態の確認が可能となり、利便性が向上する。
【００９８】
なお、制御信号入力部１４０は、無線の通信回路で構成することも可能である。このとき、コンピュータ４００にも無線通信が可能な回路を内蔵し、無線通信回路を介して、コンピュータ４００からバックアップモードの設定および設定状態の確認を実行することができる。これにより、通信ケーブルを設置する手間を省略でき、利便性が向上する。
【００９９】
［１−３．効果等］
以上のように、本実施の形態において、投写型映像表示装置１００は、少なくとも、映像信号に基づいて映像を生成する映像生成部１９３と、第１の信号源２００からの映像信号を入力可能に設けられた第１の映像信号入力部１２０と、第２の信号源３００からの映像信号を入力可能に設けられた第２の映像信号入力部１３０と、第１の映像信号入力部１２０または第２の映像信号入力部１３０からの映像信号に基づいて映像生成部１９３を制御する制御部１７０と、を備える。
【０１００】
この制御部１７０は、第１の映像信号と第２の映像信号とが同じ信号であるか否かを判定（例えば、Ｓ２０３）する。両映像信号が同じ信号であると判定した場合（例えば、Ｓ２０３がＹＥＳ）に、両映像信号のうち、映像生成部１９３が映像を生成するために用いられるいずれか一方の映像信号に係る設定値を、他方の映像信号に係る設定値として設定（例えば、Ｓ２０４）する。
【０１０１】
これにより、使用者がバックアップモードに設定した状態においては、両映像信号のドット数、ライン数、周波数の検出および映像信号フォーマットの判別が完了しており、しかも、映像信号を切り替える際に、映像信号に係る設定値の再設定に関する処理を省略することができる。したがって、処理時間の短縮が可能となり、一方の映像信号から他方の映像信号へ短時間で映像を切り替えることが可能となる。
【０１０２】
この投写型映像表示装置１００において、制御部１７０は、一方の映像信号に異常が生じたとき（例えば、Ｓ２０７がＹＥＳ）に、他方の映像信号に切り替える（例えば、Ｓ２０８）。具体的には、制御部１７０は、一方の映像信号のドット数、ライン数、周波数のうち、少なくとも１つの値に変動が生じたときに、他方の映像信号に切り替えればよい。これにより、一方の映像信号に異常が生じた場合に、短時間で他方の映像信号へ映像を切り替えることが可能となり、信頼性が向上する。
【０１０３】
また、本実施の形態において、記憶部１８０には、使用者の操作（使用者の指示）に基づくバックアップモードの設定値が記憶される。制御部１７０は、バックアップモードのＯＮ／ＯＦＦおよび切替方法（自動、手動または両方）などの前回の設定値を記憶部１８０から読み出して、動作させることができる。したがって、使用者が、投写型映像表示装置１００を起動させるたびに設定する手間を省くことができるほか、使用場面に適した切替方法を選択することを可能とし、投写型映像表示装置１００に所望の動作をさせることができる。
【０１０４】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１０５】
そこで、以下、他の実施の形態を例示する。
【０１０６】
実施の形態では、第１の映像信号入力部と第２の映像信号入力部との２つの入力部について説明したが、映像表示装置は３つ以上の入力部を有していてもよく、２つ以上のバックアップ用の映像信号が入力されてもよい。
【０１０７】
実施の形態では、自動、手動およびその両方の切替方法が選択可能な例で説明したが、切替方法は選択できないものであってもよく、例えば、自動と手動の２つから選択可能になっていてもよい。
【０１０８】
実施形態では、バックアップモードに関する設定を記憶部に記憶させる例で説明したが、起動のたびに使用者が設定する構成としてもよい。
【０１０９】
以上のように、本開示における技術の例示として、実施の形態を説明した。そのために、添付図面および詳細な説明を提供した。
【０１１０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１２】
本開示は、映像表示装置に適用可能である。具体的には、液晶ディスプレイを用いたモニタやテレビなどにも適用可能である。また、本開示では映像信号の切替を高速に実行可能であることをバックアップの用途に利用したが、手動切替は任意のタイミングで映像を切り替えることが可能であることから、演出などで映像を高速に切り替える用途にも応用可能である。
【符号の説明】
【０１１３】
１００  投写型映像表示装置
１１０  操作部
１２０  第１の映像信号入力部
１３０  第２の映像信号入力部
１４０  制御信号入力部
１５０  報知部
１６０  映像信号処理部
１７０  制御部
１８０  記憶部
１９０  光学部
１９１  光源部
１９２  照明部
１９３  映像生成部
１９４  投写部
２００  第１の信号源
３００  第２の信号源
４００  コンピュータ
５００  スクリーン
１０００  映像表示システム
【図１】
2015075716.tif 000003
【図２】
2015075716.tif 000004
【図３】
2015075716.tif 000005
【図４】
2015075716.tif 000006
【図５】
2015075716.tif 000007
【図６】
2015075716.tif 000008
【図７】
2015075716.tif 000009
【図８】
2015075716.tif 000010
【図９】
2015075716.tif 000011
【図１０】
2015075716.tif 000012